(57)【特許請求の範囲】
【請求項１】
クロック信号が入力されるクロック入力端子と、
データ信号が入力されるデータ入力端子と、
これらの入力端子からのクロック信号およびデータ信号が供給された通信制御回路と、
この通信制御回路により制御され、主電源の供給および停止を行う主電源用レギュレータと、
前記クロック信号により充電される充電回路と、
この充電回路の充電電圧により起動して副電源を前記通信制御回路に供給する副電源用レギュレータと、を備え、
前記通信制御回路は、前記副電源が供給されると、前記データ信号に基づき前記主電源用レギュレータを制御する電池監視装置。
【請求項２】
前記充電回路は、一方の電極が第１の電圧降下素子を介して前記クロック入力端子、かつ第２の電圧降下素子を介して前記主電源に接続され、他方の電極が接地されたキャパシタと、前記キャパシタに充電された電圧が所定の電圧に達したとき、前記副電源用レギュレータに電流を供給する回路と、を備えた請求項１記載の電池監視装置。
【請求項３】
前記充電回路は、前記キャパシタの一方の電極に、前記クロック信号の電圧を前記第１の電圧降下素子により電圧降下された第１の電圧よりも高い、前記主電源の電圧を前記第２の電圧降下素子により電圧降下された第２の電圧が印加されることにより、前記クロック信号による充電を停止する請求項２記載の電池監視装置。
【請求項４】
前記クロック入力端子は、正相クロック信号が入力される正相クロック入力端子および逆相クロック信号が入力される逆相クロック入力端子からなり、これらの入力端子はそれぞれ前記第１の電圧降下素子を介して前記キャパシタに接続されるとともに、第１の差動増幅器を介して前記通信制御回路に接続され、
前記データ入力端子は、正相データ信号が入力される正相データ入力端子および逆相データ信号が入力される逆相データ入力端子からなり、これらの入力端子はそれぞれ第２の差動増幅器を介して前記通信制御回路に接続される請求項２記載の電池監視装置。
【請求項５】
プロセッサと、
前記プロセッサに何れか一つが接続され、直列に接続された複数の電池監視装置と、
前記複数の電池監視装置に対応して並列に設けられ、それぞれが直列接続された複数個のセルを有する複数の電池と、を備え、
前記電池監視装置は、
前記プロセッサからクロック信号が入力されるクロック入力端子と、
前記プロセッサからデータ信号が入力されるデータ入力端子と、
これらの入力端子からのクロック信号およびデータ信号が供給された通信制御回路と、
この通信制御回路により制御され、主電源の供給および停止を行う主電源用レギュレータと、
前記クロック信号により充電される充電回路と、
この充電回路の充電電圧により起動して副電源を前記通信制御回路に供給する副電源用レギュレータと、を備え、
前記通信制御回路は、前記副電源が供給されると、前記データ信号に基づき前記主電源用レギュレータを制御する電池監視システム。
【請求項６】
何れか２つの電池監視装置の間は、容量性素子を介して接続されている請求項５記載の電池監視システム。
【発明の詳細な説明】
【技術分野】
【０００１】
本実施形態は電池監視装置および電池監視システムに関し、特に、スタンバイモードを有する半導体集積回路の電池監視装置および電池監視システムに関する。
【背景技術】
【０００２】
車には種々の半導体集積回路（以下「ＩＣ」という。）が搭載されており、例えばバッテリを監視する電池監視ＩＣがある。電池監視ＩＣは直列接続された複数個の電池セルそれぞれの電圧を監視する。電池監視ＩＣは、過充電／過放電を防止し、あるいは電池残量を予測する。電池監視ＩＣには主電源用レギュレータと副電源用レギュレータが設けられており、スタンバイモードでは主電源用レギュレータはオフにされ、副電源用レギュレータにより、通信制御回路がＭＣＵからのコマンドを受信可能に維持されている。
【０００３】
スタンバイモードを有するＩＣシステムは、ＩＣによる消費電流を低減し全体の電力消費を抑制する。例えば電力消費の低減を図るバイアス回路（特許文献１参照）や、チャージアップ時間の短縮と消費電力の低減とを両立させたチャージポンプ回路（特許文献２参照）が知られている。さらに、外部信号によってバッテリの電源電圧Ｖｃｃを電圧ロスを伴うことなくそのままバンドギャップリファレンス型電圧発生回路に印加可能としたバッテリーセーブ回路も知られている（特許文献３参照）。
【先行技術文献】
【特許文献】
【０００４】
【特許文献１】特開平８−１３７５６６号公報
【特許文献２】特開平１０−３０４６５４号公報
【特許文献３】特開平９−２９７６２５号公報
【発明の概要】
【発明が解決しようとする課題】
【０００５】
しかし、スタンバイモードを解除するために、スタンバイモード時でも通信制御回路の受信回路へ電源を供給し続ける必要がある。そのため、スタンバイモード時、消費電流を０μＡにすることができない。
【課題を解決するための手段】
【０００６】
このような課題を解決するため、一実施形態によれば、クロック信号が入力されるクロック入力端子と、データ信号が入力されるデータ入力端子と、これらの入力端子からのクロック信号およびデータ信号が供給された通信制御回路と、この通信制御回路により制御され、主電源の供給および停止を行う主電源用レギュレータと、前記クロック信号により充電される充電回路と、この充電回路の充電電圧により起動して副電源を前記通信制御回路に供給する副電源用レギュレータと、を備え、前記通信制御回路は、前記副電源が供給されると、前記データ信号に基づき前記主電源用レギュレータを制御する電池監視装置が提供される。
【０００７】
また、別の一実施形態によれば、プロセッサと、前記プロセッサに何れか一つが接続された複数の電池監視装置と、前記複数の電池監視装置に並列に設けられ、それぞれが直列接続された複数個のセルを有する複数の電池と、を備えた電池監視システムが提供される。前記電池監視装置は、前記プロセッサからクロック信号が入力されるクロック入力端子と、前記プロセッサからデータ信号が入力されるデータ入力端子と、これらの入力端子からのクロック信号およびデータ信号が供給された通信制御回路と、この通信制御回路により制御され、主電源の供給および停止を行う主電源用レギュレータと、前記クロック信号により充電される充電回路と、この充電回路の充電電圧により起動して副電源を前記通信制御回路に供給する副電源用レギュレータと、を備え、前記通信制御回路は、前記副電源が供給されると、前記データ信号に基づき前記主電源用レギュレータを制御する。
【図面の簡単な説明】
【０００８】
【図１】第１の実施形態に係る電池監視システムの一応用例を示すブロック図である。
【図２】第１の実施形態に係る電池監視システムに用いられる電池監視回路の構成を示す回路構成図である。
【図３】図２に示す電池監視回路の動作を説明するための各部の電圧波形図である。
【図４】第２の実施形態に係る電池監視システムに用いられる電池監視回路の構成を示す回路構成図である。
【図５】第２の実施形態に係る電池監視システムの一応用例を示すブロック図である。
【図６】第３の実施形態に係る電池監視システムに用いられる電池監視回路の概略を示す回路構成図である。
【図７】図６に示す電池監視回路の動作を説明するための各部の電圧波形図である。
【図８】第４の実施形態に係る電池監視システムに用いられる電池監視回路の概略を示す回路構成図である。
【発明を実施するための形態】
【０００９】
以下、本発明の実施形態に係る電池監視装置および電池監視システムについて、図面を参照しながら説明する。
【００１０】
（第１の実施形態）
図１は第１の実施形態に係る電池監視システムの一応用例を示すブロック図である。電池監視システム４は、ＭＣＵ（Micro Control Unit）１１と、バッテリ２と、バッテリ２を監視する電池監視装置１とを備えている。電池監視システム４は、監視対象であるバッテリ２の電圧あるいは電流を監視する。バッテリ２は、例えば電池セルを複数個直列に接続したリチウムイオン電池である。電池監視装置１は電池監視回路１０１、電池監視ＩＣ１０を備えている。
【００１１】
電池監視ＩＣ１０は、バッテリ２のセル毎の電圧を計測して計測値を収集する。電池監視ＩＣ１０は、ＭＣＵ１１から電池監視回路１０１を介してクロック信号ＣＫとコマンドあるいはデータＤＩが供給され、測定した各セル電圧であるデータ出力ＤＯをＭＣＵ１１へ送信する。電池監視回路１０１は、ＭＣＵ１１からのコマンドにより電池監視ＩＣ１０の動作状態（スタンバイモードとノーマルモード）を切り替えるスタンバイ制御機能を備えている。
【００１２】
図２は、電池監視回路１０１を示す回路構成図である。電池監視回路１０１は、ＭＣＵ１１から受信したコマンドにより電池監視ＩＣ１０の動作状態をノーマルモード又はスタンバイモードに制御するスタンバイ制御回路である。
【００１３】
電池監視回路１０１は、通信制御回路１５と、主電源用レギュレータ１６と、副電源用レギュレータ１７と、充電回路１８と、定電流回路１９とを備えている。
【００１４】
通信制御回路１５は、クロック信号ＣＫが入力されるクロック入力端子１２、コマンド情報が入力されるデータ入力端子１３および電圧情報が出力されるデータ出力端子１４を介してＭＣＵ１１に接続されている。クロック信号ＣＫおよびコマンド情報のそれぞれは、副電源電圧ＶＳＵＢが供給されるバッファ増幅器２０を介して通信制御回路１５に入力される。また、電圧情報は、主電源電圧ＶＣＣが供給されるバッファ増幅器２１を介してＭＣＵ１１に出力される。通信制御回路１５には、ＶＳＵＢが動作電源として供給されている。
【００１５】
通信制御回路１５は、クロック信号ＣＫにより動作し、ＭＣＵ１１と電池監視ＩＣ１０との各種コマンドを含む相互通信のインターフェースとして動作する。また、通信制御回路１５は、供給されるウェイクアップコマンドあるいはスタンバイコマンドにより、主電源用レギュレータ１６を制御する。具体的には、通信制御回路１５は、ウェイクアップコマンドを受信した場合には、主電源ＶＣＣを電池監視ＩＣ１０その他のＩＣに供給し、スタンバイコマンドを受信した場合には、主電源ＶＣＣの供給を停止する。また、通信制御回路１５は、監視コマンドを受信すると、電池監視ＩＣ１０により測定されたバッテリ２のセル電圧をＭＣＵ１１へ出力する。
【００１６】
主電源用レギュレータ１６は、電池監視ＩＣ１０等のＩＣへＶＣＣを供給する。主電源用レギュレータ１６は、主電源の供給あるいは停止を制御することにより、電池監視回路１０１の動作状態を切り替える。主電源用レギュレータ１６には、ＨＶＩＮが動作電源として供給されている。
【００１７】
充電回路１８は主電源用レギュレータ１６の電源供給動作の停止中、クロック信号ＣＫによって電力をチャージする。充電回路１８は、直列接続されたダイオードＤ１、Ｄ２、このダイオードＤ１、Ｄ２に一端が接続され他端が接地されたキャパシタＣ１、このキャパシタＣ１と並列に接続され一端が接地された放電抵抗Ｒ３及び主電源ＶＣＣにアノードが接続されたダイオードＤ３により構成されている。
【００１８】
ダイオードＤ１、Ｄ２は、順方向降下電圧Ｖｆを利用した第１の電圧降下素子を構成する。ダイオードＤ１のアノードはクロック入力端子１２に接続され、ダイオードＤ２のカソードはキャパシタＣ１の一端に接続されている。矩形パルス波形を有するクロック信号ＣＫは、第１の電圧降下素子を介してキャパシタＣ１に供給され、これを充電する。この結果、ダイオードＤ２のカソード電極とキャパシタＣ１との接続点Ａ（以下Ａ点と呼ぶ）の電位は上昇する。
【００１９】
また、ダイオードＤ２のカソードとキャパシタＣ１との接続点Ａ（以下Ａ点と呼ぶ）には、ダイオードＤ３を介して主電源ＶＣＣが接続されている。第３のダイオードＤ３は、順方向降下電圧Ｖｆを利用した第２の電圧降下素子として用いられる。また、第２のクロック信号ＣＫおよび主電源電圧ＶＣＣはいずれも同じ電圧、例えば５Ｖとする。充電回路１８の出力電圧として、点Ａの電圧、すなわち放電抵抗Ｒ３の電圧が定電流回路１９に供給される。
【００２０】
定電流回路１９は、定電流源回路１９−１とカレントミラー回路１９−２とを備えている。定電流源回路１９−１は、充電回路１８のＡ点に一端が接続された抵抗Ｒ１と、抵抗Ｒ１の他端にコレクタが接続されエミッタが接地されたトランジスタＱ１と、トランジスタＱ１のベースに一端が接続され他端が接地された抵抗Ｒ２と、トランジスタＱ１のベースにソースが接続されコレクタにゲートが接続されたＮ型のＭＯＳトランジスタＭ１とを備える。カレントミラー回路１９−２は、Ｐ型のＭＯＳトランジスタＭ２と、ＭＯＳトランジスタＭ２に並列に接続されたＰ型のＭＯＳトランジスタＭ３とを有している。ＭＯＳトランジスタＭ２のドレインは、ＭＯＳトランジスタＭ１のドレインに接続されている。ＭＯＳトランジスタＭ２とＭＯＳトランジスタＭ３のソースには電源電圧ＨＶＩＮが供給されている。電源ＨＶＩＮは、スタンバイモードにおいてもノーマルモードにおいても常時供給されているが、スタンバイモードにおいては電流が流れないため、電力消費はない。また、ＭＯＳトランジスタＭ２、Ｍ３はそれらのゲートＧが共通に接続されている。ＭＯＳトランジスタＭ２はそのゲートとドレインとがダイオード接続している。
【００２１】
ＭＯＳトランジスタＭ３のドレインが、副電源レギュレータ１７に接続されている。これにより、定電流回路１９で生成された定電流が、副電源レギュレータ１７に供給される。
【００２２】
次に、本実施形態に係る電池監視システム４の電池監視回路１０１の動作を説明する。図３は、図２に示す電池監視回路の動作を説明するための各部の電圧波形図である。図３において、横軸は時刻ｔを、縦軸は電圧Ｖを表している。また、（ａ）は電池監視ＩＣ１０１に入力されるクロック信号ＣＫの波形、（ｂ）はコマンド、（ｃ）はＡ点の電位、（ｄ）は副電源用レギュレータ１７の電源ＶＳＵＢの電位、（ｅ）は主電源用レギュレータ１６の電源ＶＣＣの電位を示している。
【００２３】
クロック信号ＣＫが、時刻ｔ１にクロック入力端子１２に供給される。なお、時刻ｔ１以前においては、クロック信号ＣＫはクロック入力端子１２に供給されていない。時刻ｔ１においてクロック信号ＣＫが供給されるとキャパシタＣ１に電荷が供給され、Ａ点の電位が図３（ｃ）に示すように徐々に上昇する。
【００２４】
抵抗Ｒ１を介してＡ点に接続されたトランジスタＱ１のコレクタ電位とＭＯＳトランジスタＭ１のゲート電圧も上昇する。トランジスタＱ１のベース−エミッタ間電圧ＶＢＥは例えば０．６Ｖで一定であり、コレクタ−エミッタ間電圧ＶＣＥはトランジスタＱ１のコレクタ電流Ｉｃに対して大きくは変動しない。ＶＣＥがＶＢＥよりも高くなるとＭＯＳトランジスタＭ１のゲート−ソース間電圧ＶＧＳが上昇する。時刻ｔ２において、このＶＧＳがＭＯＳトランジスタＭ１のゲート閾値電圧Ｖｔｈを超えてＶＣＥ（Ｑ１）＝ＶＢＥ（Ｑ１）＋Ｖｔｈ（Ｍ１）になると、ＭＯＳトランジスタＭ１がオンとなる。これによりドレイン電流が抵抗Ｒ２に流れ、抵抗Ｒ２の電圧が上昇する。これにより、ＭＯＳトランジスタＭ２のゲート電圧が上昇し、ＭＯＳトランジスタＭ２、Ｍ３がオンとなり、ＭＯＳトランジスタＭ２側のドレイン電流と同じ大きさのミラー電流がＭＯＳトランジスタＭ３から副電源用レギュレータ１７に出力される。
【００２５】
副電源用レギュレータ１７に電流が供給されると、時刻ｔ２において副電源ＶＳＵＢがハイレベルになる。この結果、バッファ増幅器２０および通信制御回路１５に副電源ＶＳＵＢが供給され、通信制御回路１５はコマンド受信可能となる。
【００２６】
続いて、時刻ｔ３に通信制御回路１５にＷＡＫＥＵＰコマンドが入力されると、通信制御回路１５は主電源用レギュレータ１６を起動させ、主電源電圧ＶＣＣを電池監視ＩＣ１０に供給する（時刻ｔ４）。そして、電池監視回路１０１は、電池監視ＩＣ１０をスタンバイモードからノーマルモードに切り替える。
【００２７】
また、主電源電圧ＶＣＣは、ダイオードＤ３を介して充電回路１８のＡ点に供給される。ここでダイオードＤ１、Ｄ２、Ｄ３は、例えば０．７Ｖの同じ順方向電圧Ｖｆを有するものとする。スタンバイモードにおいてＡ点の電位は、５Ｖのクロックパルス信号ＣＫにより充電されると、ダイオードＤ１、Ｄ２の順方向電圧Ｖｆだけ電圧降下した３．６Ｖとなる。これに対して、ノーマルモードにおいてＡ点の電位は、主電源電圧ＶＣＣから５Ｖの電圧が供給され、ダイオードＤ３の順方向電圧Ｖｆだけ電圧降下した４．３Ｖとなる。この結果、ノーマルモード時のＡ点の電位は４．３Ｖとなり、スタンバイモード時の３．６Ｖより高くなるため、クロック信号ＣＫは充電回路１８には供給されず、通信制御回路１５に供給される。主電源電圧ＶＣＣはさらに、バッファ増幅器２１に供給され、これを介して通信制御回路１５はそのデータ出力をＭＣＵ１１に供給する。すなわち、ノーマルモードではＭＣＵ１１及び通信制御回路１５間はデータ通信により、電池監視ＩＣ１０の監視動作のための通信制御が行われる。
【００２８】
時刻ｔ５において通信制御回路１５がスタンバイコマンドを受信すると、通信制御回路１５は主電源用レギュレータ１６を制御して主電源ＶＣＣの供給を停止する（時刻ｔ６）。これによって、充電回路１８のＡ点の電位がＶＢＥ（Ｑ１）＋Ｖｔｈ（Ｍ１）より小さくなると定電流回路１８の動作がオフになる。副電源レギュレータ１７に電流が供給されなくなるため、副電源ＶＳＵＢも供給が停止される。この結果、電池監視回路１０１は、電池監視ＩＣ１０をノーマルモードからスタンバイモードに切り替える。そして時刻ｔ６以降、ＭＣＵ１１からのクロック信号ＣＫの供給は停止される。
【００２９】
以上、第１の実施形態に係る電池監視回路１０１によれば、管理対象である電池監視ＩＣ１０をクロック信号によって供給された電力によりスタンバイモードとノーマルモードを切り替える。スタンバイモードにおいては、電池監視回路１０１にクロック信号が供給されないため、電池監視回路１０１も待ち受け電流をゼロにすることができ、電力を全く消費することはない。
【００３０】
（第２の実施形態）
図４は第２の実施形態に係る電池監視システムに用いられる電池監視回路１０２の構成を示す図である。
【００３１】
電池監視回路１０２は、ＭＣＵ１１とクロック入力端子１２、データ入力端子１３およびデータ出力端子１４との間にキャパシタ２３を用いて容量性結合に変更したものであり、その他の構成は第１の実施形態と同等である。したがって図４において、図１と同一の構成要素には同一の符号を付して、重複した説明は省略する。
【００３２】
このように容量結合された電池監視回路１０２によれば、第１の実施形態の電池監視ＩＣ１０を複数直列に接続して多数の直列接続された電池を監視することが可能である。
【００３３】
図５は、多数の電池を監視する電池監視システム３の一例を示すブロック図である。電池監視システム３は、第１の実施形態の電池監視装置１を複数直列に接続している。電池監視装置１−１〜１−Ｎは、互いに容量性素子を介して相互に接続されている（相互に接続とは隣接する２つの電池監視装置１間の接続を言う）。
【００３４】
電池監視システム３においては、複数の電池監視ＩＣ１０−１、１０−２、…、１０−Ｎは、それぞれに対応した電池セルグループ２−１、２−２、…、２−Ｎの監視を行う。電池セルグループ２−１〜２−Ｎは、例えば直列に接続された数十〜１００個程度の電池セルを６〜１４個程度のグループとしている。
【００３５】
第１段目の電池監視装置１−１においては電池監視ＩＣ１０−１及びＭＣＵ１１間に、供給線ＣＬＫ、ＮＣＬＫを有する。ＮＣＬＫの相はＣＬＫの相の逆である。また、第１段目の電池監視ＩＣ１０−１及びＭＣＵ１１間は、供給線ＤＡＴＡ、ＮＤＡＴにより接続されている。ＮＤＡＴの相はＤＡＴの相の逆である。
【００３６】
このような電池監視システム３においては、第１段目の電池監視装置１−１は、ＭＣＵ１１とともに電源の一方の端子は接地されるが、第２段目以上の電池監視装置１−２、…、１−Ｎは、接地電位に接続することはできないので、それぞれ容量結合することにより、ＭＣＵ１１に交流的に接続される。
【００３７】
このように、第２の実施形態による電池監視回路１０２は、第１段目の電池監視装置１−１として使うこと、及び第２段目以上の電池監視装置１−２、…、１−Ｎとして使うことの何れにも用いることができ、半導体集積回路の部品共用化又は歩留まりを向上させることができる。
【００３８】
（第３の実施形態）
図６は、第３の実施形態に係る電池監視システムに用いられる電池監視回路１０３の概略構成を示す図である。図６において図１又は図４と同一の構成要素には同一の符号を付して、重複した説明は省略する。
【００３９】
第３の実施形態は差動通信方式を用い、正相クロック信号ＣＬＫ、その反転信号である逆相ＮＣＬＫ、正相データ信号ＤＡＴ、および、その反転信号である逆相データ信号ＮＤＡＴが電池監視回路１０３に入力される。なお、正相クロック信号ＣＬＫおよび正相データ信号ＤＡＴはそれぞれ、第１および第２の実施形態におけるクロック信号ＣＫおよびデータ信号ＤＩと実質的に同じ信号であるが、ここでは説明上異なる記号を用いている。
【００４０】
１組のクロック信号ＣＬＫ、ＮＣＬＫは第１の差動増幅器２４の正負の入力端子に入力される。クロック信号ＣＬＫは２個の直列のダイオードＤ１、Ｄ２へ入力される。クロック信号ＮＣＬＫはダイオードＤ４、Ｄ５へ入力される。クロック信号ＣＬＫ及びＮＣＬＫの各電圧はそれぞれダイオードＤ１、Ｄ２及びダイオードＤ４、Ｄ５により降下する。対応するクロック信号は充電回路１８のＡ点に供給される。
【００４１】
また、１組のデータ信号ＤＡＴ、ＮＤＡＴは第２の差動増幅器２５の正負の入力端子に入力される。第１、第２の差動増幅器２４、２５の差動出力信号はそれぞれ通信制御回路１５に供給される。
【００４２】
図７はこのように構成された電池監視回路１０３の動作を説明するための各部の波形図である。同図において図３に対応する部分には同一符号を付して詳細な説明は省略する。
【００４３】
同図において（ａ）は正相クロック信号ＣＬＫを、また（ａ´）は逆相クロック信号ＮＣＬＫを表している。これらのクロック信号はそれぞれダイオードＤ１、Ｄ２およびダイオードＤ４、Ｄ５を介して充電回路１８のＡ点に供給される。キャパシタＣ１の充電によってＡ点の電位は、図３に示す電位に比較して約２倍の大きさを有する。また、正相クロック信号ＣＬＫおよび逆相クロック信号ＮＣＬＫは、第１の差動増幅器２４により増幅される。増幅された電圧は図２に示されるバッファ増幅器２０の出力よりも約２倍の大きさを有する。増幅された信号は通信制御回路１５に供給される。
【００４４】
このため、クロック信号による充電回路１８の充電もより速いスピードを持ってキャパシタＣ１は充電される。スタンバイモードからノーマルモードへの切替えスピードも向上することができる。
【００４５】
同様に、１組の正相データ信号ＤＡＴおよび逆相データ信号ＮＤＡＴは、第２の差動増幅器２５により増幅される。増幅された電圧はバッファ増幅器２０の出力よりも約２倍の大きさを有する。増幅された信号は通信制御回路１５に供給される。
【００４６】
このように、第３の実施形態による電源監視回路１０３は、通信制御回路１５に供給されるクロック信号およびデータ信号として、正相および逆相の信号を１組として用いる。差動通信により、同相ノイズに対して耐性のある通信制御を行うことができる。また、スタンバイモードからノーマルモードへの切替えスピードも向上できる。
【００４７】
また、第２の実施形態と同様に、電池監視装置（電源監視回路１０３および電池監視ＩＣ１０）を容量結合して直列に接続することにより、多数の電池を監視することができる。
【００４８】
（第４の実施形態）
図８は第４の実施形態に係る電池監視システムに用いられる電池監視回路１０４の概略構成を示す図である。同図において図２、図４又は図６の構成要素と同一の構成要素には同一の符号を付して示し、重複した説明は省略する。
【００４９】
第４の実施形態による電池監視回路１０４は、第２の実施形態に係る電池監視回路１０２が有するシングルエンド通信機能と第３の実施形態に係る電池監視回路１０３が有する差動通信機能とを備える。電池監視回路１０４はシングルエンド通信機能と差動通信機能とのいずれかを選択し、選択した機能を動作させる。
【００５０】
すなわち、電池監視回路１０４には通信制御回路１５の入力端子１２、１２に正相および逆相のクロック信号ＣＬＫ、ＮＣＬＫが供給される。図６の第３の実施形態と同様である。電池監視回路１０４には、正相のクロック信号ＣＫが供給される。図４の第２の実施形態と同様である。正相および逆相のクロック信号ＣＬＫ、ＮＣＬＫは、図６と同様に、第１の差動増幅器２４の正負の入力端子に入力される。クロック信号ＣＬＫ、ＮＣＬＫはそれぞれダイオードＤ１、Ｄ２およびダイオードＤ４、Ｄ５を介して充電回路１８のＡ点に供給される。直列接続された２個のダイオードＤ１、Ｄ２は第１の電圧降下素子である。ダイオードＤ４、Ｄ５についてもダイオードＤ１、Ｄ２と同様である。
【００５１】
第１の差動増幅器２４の出力信号および正相のクロック信号ＣＫは第１のセレクタ回路２６に入力される。第１のセレクタ回路２６は出力信号およびクロック信号ＣＫのいずれか一方を通信制御回路１５に供給する。
【００５２】
次に、電池監視回路１０４には、通信制御回路１５の入力端子１３、１３に正相および逆相のデータ信号ＤＡＴ、ＮＤＡＴがキャパシタ２３を介して供給される。図６の第３の実施形態と同様である。電池監視回路１０４には正相のデータ信号ＤＩが他の入力端子１３に供給される。図４に示した第２の実施形態と同様である。正相および逆相のデータ信号ＤＡＴ、ＮＤＡＴは、図６と同様に、第２の差動増幅器２５の正負の入力端子に入力される。
【００５３】
第２の差動増幅器２５の出力信号および正相のデータ信号ＤＩは第２のセレクタ回路２７に供給される。第２のセレクタ回路２７は出力信号およびデータ信号ＤＩのうちいずれか一方を通信制御回路１５に供給する。電池監視回路１０４のその他の構成は図８に示した第２の実施形態に係る電池監視回路１０２と実質的に同じであるため、詳細な説明は省略する。
【００５４】
このように、第４の実施形態による電池監視回路１０４は、シングルエンド通信機能と差動通信機能とのいずれかを選択して動作させることが可能である。電池監視回路１０４によれば、同相ノイズの有無に応じてノイズに影響されない通信機能を利用することができる。スタンバイモードからノーマルモードへの切替えスピードも向上することができる。
【００５５】
また、第２の実施形態と同様に、電池監視装置（電源監視回路１０４および電池監視ＩＣ１０）を容量結合して直列に接続することにより、多数の電池を監視することができる。
【００５６】
以上本発明を種々の実施形態により説明したが、本発明は上記の実施形態に限定されるものではなく、その技術思想を逸脱しない範囲で種々の変形が可能である。例えば、上記充電回路においては、第１の電圧降下素子として２段の直列接続されたダイオードＤ１、Ｄ２を用いたが、２段に限らずそれ以上のダイオードを直列接続してもよい。また、第２の電圧降下素子としてダイオードＤ３を用いたが、１個に限らず直列接続された複数個のダイオードを用いてもよい。但し、前記クロック信号電圧を電圧降下させた第１の電位が前記主電源電圧を電圧降下させた第２の電位より低いことが条件となる。
【００５７】
また、上記の実施形態においては、充電回路１７の出力は定電流回路１９を介して副電源用レギュレータ１７に供給されたが、定電流回路１９に代えて他の駆動回路でもよく、さらには、副電源用レギュレータ１７が例えば３.３Ｖと低い電圧で起動する場合には、これらの回路を介することなく直接供給してもよい。
【００５８】
上記の実施形態においては、電池監視回路を用いる対象回路あるいは装置として電池監視ＩＣの例を示したが、これに限られることはなく、スタンバイモードとノーマルモードで動作する装置であればどのような回路、装置でもよい。
【符号の説明】
【００５９】
１，１−１〜１−Ｎ…電池監視装置、２…バッテリ（電池）、２−１〜２−Ｎ…電池セルグループ（電池）、３，４…電池監視システム、１０，１０−１，１０−２〜１０−Ｎ…電池監視ＩＣ、１１…ＭＣＵ、１２…クロック入力端子、１３…データ入力端子、１４…データ出力端子、１５…通信制御回路、１６…主電源用レギュレータ、１７…副電源用レギュレータ、１８…充電回路、１９…定電流回路、１９−１…定電流源回路、１９−２…カレントミラー回路、２０…バッファ増幅器、２１…バッファ増幅器、２３…結合キャパシタ、２４…第１の差動増幅器、２５…第２の差動増幅器、２６…第１のセレクタ回路、２７…第２のセレクタ回路、１０１〜１０４，１０１−１〜１０１−Ｎ…電池監視回路。
【図１】
0005902136.tif 000002
【図２】
0005902136.tif 000003
【図３】
0005902136.tif 000004
【図４】
0005902136.tif 000005
【図５】
0005902136.tif 000006
【図６】
0005902136.tif 000007
【図７】
0005902136.tif 000008
【図８】
0005902136.tif 000009